(57)【要約】【課題】小型化、軽量化及びコスト削減が可能である非共振ＬＥＤ一方向性駆動回路を提供する。【解決手段】キャパシティブインピーダンスコンポネント或いは誘導性インピーダンスコンポネントまたは抵抗性インピーダンスコンポネントを通して、第一インピーダンスＺ１０１を構成する。誘導性インピーダンスコンポネントＩ２００とキャパシティブインピーダンスコンポネントを並列接続することによって、第二インピーダンスＺ１０２を構成する。第一インピーダンスＺ１０１と第二インピーダンスＺ１０２を直列に接続し、両端へ脈動の直流の電気エネルギーを入力する。直流脈動の電気エネルギーの電圧を分圧し、かつ第二インピーダンスＺ１０２の分圧電気エネルギーを整流装置ＢＲ１０１によって一方向性直流の電気エネルギーに整流して、一方向性導電の発光ダイオードを駆動する。【選択図】図２
2009170914.tif 000002
【特許請求の範囲】
【請求項１】
脈動の電気エネルギーを電源とし、キャパシティブインピーダンスコンポネント或いは誘導性インピーダンスコンポネントまたは抵抗性インピーダンスコンポネントを通して、第一インピーダンスを構成し、及び並列接続してからの固有並列共振周波数は脈動の電気エネルギーの脈動周期とは相異で、並列共振を形成しない誘導性インピーダンスコンポネントとキャパシティブインピーダンスコンポネントを採用し、二者を並列接続することによって第二インピーダンスを構成し、前記第一インピーダンスと前記第二インピーダンスを直列に接続し、直列接続後の両端へ脈動の直流の電気エネルギーを電源として入力し、それは下記を含み、
１．直流脈動の電気エネルギーを入力し、或いは、
２．直流電源を固定或いは可変電圧に転換し、及び固定或いは可変周期の直流脈動の電気エネルギーを入力し、或いは、
３．交流の電気エネルギーを直流の電気エネルギーに整流し、固定或いは可変電圧に再転換し、及び固定或いは可変周期の直流脈動の電気エネルギーを入力し、或いは、
４．固定或いは可変電圧及び固定或いは可変周波数の交流の電気エネルギーを入力し、半波或いは全波の直流脈動の電気エネルギーに整流し、
前記第一インピーダンス及び前記第二インピーダンスを直列接続し、入力する直流脈動の電気エネルギーの電圧を分圧することを通して、前記第二インピーダンスの両端に二方向性に交互に切り替える電気エネルギーの分圧を形成し、かつ前記第二インピーダンスの分圧電気エネルギーを整流装置によって一方向性直流の電気エネルギーに整流してから、一方向性導電の発光ダイオードを駆動し、非共振ＬＥＤ一方向性駆動回路を高周波脈動電源に応用すると、小型化、軽量化及びコスト削減が可能であることを特徴とし、
前記第一インピーダンス、前記第二インピーダンス、前記整流装置、前記一方向性導電性発光ダイオードセット、発光ダイオード及び各項のオプション補助性回路コンポネントはニーズによって設置するかしないかの選択が可能であり、設置数量は一個或いは一個以上で、一個以上を選択する場合、応用時の回路機能のニーズによって相対極性関係を選定し、直列、並列、直並列に接続することを特徴とする非共振ＬＥＤ一方向性駆動回路。
【請求項２】
少なくとも一個のキャパシティブインピーダンスコンポネント、誘導性インピーダンスコンポネント或いは抵抗性インピーダンスコンポネントによって前記第一インピーダンスを構成し、及び少なくとも一個のキャパシティブインピーダンスコンポネントと少なくとも一個の誘導性インピーダンスコンポネントを並列に接続することによって前記第二インピーダンスを構成し、二者を並列接続してからの固有並列共振周波数は脈動の電気エネルギーの脈動周期とは相異で、並列共振を形成せず、及び少なくとも一個の発光ダイオードによって一方向性導電の発光ダイオードセットを構成し、少なくとも一個の整流装置の正負出力端に接続し、前記整流装置の交流入力端を前記第二インピーダンスの両端に並列接続し、
上記回路の前記第一インピーダンスと前記第二インピーダンスを直列接続する両端に脈動の電気エネルギーを入力し、前記第二インピーダンスで並列接続するコンデンサー及び誘導性インピーダンスコンポネントが減衰波形を示す二方向性に交互に切り替える電気エネルギーの分圧を通して、また前記第二インピーダンスの減衰波形を示す二方向性に交互に切り替える電気エネルギーの分圧を前記第二インピーダンスの両端に並列接続する前記整流装置の交流の電気エネルギー入力端へ伝送し、整流される直流の電気エネルギーは少なくとも一個の前記一方向性導電の発光ダイオードセットを駆動し、或いは、別々に少なくとも二個の前記第一インピーダンス及び前記第二インピーダンスの両端に並列接続する前記整流装置を駆動することによって、前記整流装置より別々に前記第一インピーダンス及び前記第二インピーダンスの交流の電気エネルギーを直流に整流してから出力し、更に個別の前記一方向性導電発光ダイオードを駆動し、非共振ＬＥＤ一方向性駆動回路を構成し、その構成は下記を含み、
前記第一インピーダンス（Ｚ１０１）はキャパシティブインピーダンスコンポネント或いは誘導性インピーダンスコンポネントや抵抗性インピーダンスコンポネントによって構成され、或いは、その中の一種や一種以上、及び一個や一個以上のインピーダンスコンポネントによって構成され、或いは、二種や二種以上のインピーダンスコンポネントによって構成され、各種のインピーダンスコンポネントは別々に一個や一個以上のインピーダンスコンポネントの直列、並列、直並列接続によって構成され、
前記第一インピーダンス（Ｚ１０１）は少なくとも一個のキャパシティブインピーダンスコンポネントと少なくとも一個の誘導性インピーダンスコンポネントを互いに直列接続し、二者を直列接続してからの固有直列共振周波数は交換周期極性の直流電源の周期と同じであって、直列共振状態を形成し、或いは、
前記第一インピーダンス（Ｚ１０１）は少なくとも一個のキャパシティブインピーダンスコンポネント及び少なくとも一個の誘導性インピーダンスコンポネントを互いに並列接続し、二者を並列接続してからの固有並列共振周波数は交換周期極性の直流電源の周期と同じであって、並列共振状態を形成し、
前記第二インピーダンスは少なくとも一個のキャパシティブインピーダンスコンポネントと少なくとも一個の誘導性インピーダンスコンポネントを並列接続することによって構成され、二者を並列接続してからの固有並列共振周波数は脈動の電気エネルギーの脈動周期とは相異で、並列共振を形成せず、
非共振ＬＥＤ一方向性駆動回路はニーズによってキャパシティブインピーダンスコンポネント、誘導性インピーダンスコンポネント、抵抗性インピーダンスコンポネントを選択することが可能で、三者の中の少なくとも一種のインピーダンスコンポネントによって第一インピーダンス（Ｚ１０１）を構成し、
非共振ＬＥＤ一方向性駆動回路の前記第一インピーダンス（Ｚ１０１）の不使用を選択することが可能で、前記第二インピーダンス（Ｚ１０２）を直接に脈動の電気エネルギーの電源に並列接続することによって、非並列共振状態を作動し、ただし減衰波形を示す二方向性に交互に切り替える電気エネルギーを形成し、
前記整流装置（ＢＲ１０１）は前記第一インピーダンス（Ｚ１０１）或いは前記第二インピーダンス（Ｚ１０２）の両端に並列接続し、或いは、同時に前記第一インピーダンス（Ｚ１０１）及び前記第二インピーダンス（Ｚ１０２）の両端に並列接続することによって、前記第一インピーダンス（Ｚ１０１）或いは前記第二インピーダンス（Ｚ１０２）の両端の分圧する電気エネルギーを直流の電気エネルギーに整流することによって、前記一方向性導電発光ダイオードセット（Ｌ１００）を駆動し、
前記整流装置はブリッジ整流器或いは半波整流器より構成することが可能であり、整流装置（ＢＲ１０１）の数量は一個或いは一個以上であり、
前記一方向性導電発光ダイオードセット（Ｌ１００）は一個の発光ダイオード順発光電流極性検出器より構成し、或いは、二個或いは二個以上の前記発光ダイオード順発光電流極性検出器を直列或いは並列接続にして構成し、或いは、三個或いは三個以上の発光ダイオード順発光電流極性を直列、並列、直並列接続して構成し、
前記一方向性導電発光ダイオードセット（Ｌ１００）はニーズによって一セット或いは一セット以上の選択が可能で、前記整流装置（ＢＲ１０１）出力の直流の電気エネルギーによって駆動し、
ＬＥＤ一方向性駆動回路（Ｕ１００）の中の前記第一インピーダンス（Ｚ１０１）、前記第二インピーダンス（Ｚ１０２）、前記一方向性導電発光ダイオードセット（Ｌ１００）、前記整流装置（ＢＲ１０１）はニーズによって各一個或いは一個以上を選択し、
前記第一インピーダンスと前記第二インピーダンスとを直列接続してからの両端に脈動の電気エネルギーを入力することによって、前記第二インピーダンスで並列接続するコンデンサー及び誘導性インピーダンスコンポネントが減衰波形を示す二方向性に交互に切り替える電気エネルギーの分圧を通して、また前記第二インピーダンスの減衰波形を示す二方向性に交互に切り替える電気エネルギーの分圧を前記第二インピーダンスの両端に並列接続する整流装置の交流の電気エネルギー入力端へ伝送し、整流される直流の電気エネルギーは少なくとも一個の前記一方向性導電の発光ダイオードセットを駆動し、或いは、別々に少なくとも二個の前記第一インピーダンス及び前記第二インピーダンスの両端に並列接続する前記整流装置を駆動することによって、前記整流装置より別々に前記第一インピーダンス及び前記第二インピーダンスの交流の電気エネルギーを直流に整流してから出力し、更に個別の前記一方向性導電発光ダイオードを駆動することを特徴とする請求項１記載の非共振ＬＥＤ一方向性駆動回路。
【請求項３】
前記第一インピーダンス（Ｚ１０１）は、少なくとも一個のコンデンサー（Ｃ１００）によって構成され、特に二極性コンデンサーによって構成され、前記第一インピーダンスの数量は一個或いは一個以上であり、或いは、ニーズによって前記第一インピーダンス（Ｚ１０１）の不使用を選択し、
前記第二インピーダンス（Ｚ１０２）は並列に接続してからの固有並列共振周波数と脈動の電気エネルギーの脈動周期が相異で、並列共振を形成しない少なくとも一個のコンデンサー（Ｃ２００）及び少なくとも一個の誘導性インピーダンスコンポネント（Ｉ２００）を並列接続することによって構成され、特に誘導性インピーダンスコンポネント及び二極性コンデンサーを並列接続することによって構成され、前記第二インピーダンスの数量は一個或いは一個以上であり、
少なくとも一個の前記第一インピーダンス（Ｚ１０１）と少なくとも一個の前記第二インピーダンス（Ｚ１０２）を直列接続し、直列接続してからの両端に脈動の電気エネルギーを入力し、前記第二インピーダンス（Ｚ１０２）に二方向性に交互に切り替える電気エネルギーの分圧を形成し、分圧の二方向性に交互に切り替える電気エネルギーを前記第二インピーダンス（Ｚ１０２）の両端に並列接続する前記整流装置（ＢＲ１０１）の交流入力端へ伝送し、整流された電気エネルギーによって少なくとも一個の前記一方向性導電発光ダイオードセット（Ｌ１００）を駆動し、
少なくとも一個の整流装置（ＢＲ１０１）を設置することによって、前記第一インピーダンス（Ｚ１０１）或いは前記第二インピーダンス（Ｚ１０２）の両端からの分圧電気エネルギーを入力し、或いは、二個或いは二個以上の前記整流装置（ＢＲ１０１）を設置し、別々に前記第一インピーダンス（Ｚ１０１）及び前記第二インピーダンス（Ｚ１０２）の両端からの分圧電気エネルギーを入力し、前記第一インピーダンス（Ｚ１０１）或いは前記第二インピーダンス（Ｚ１０２）の両端の分圧する電気エネルギーを直流の電気エネルギーに整流し、前記一方向性導電発光ダイオードセット（Ｌ１００）を駆動し、
前記整流装置は、ブリッジ整流器或いは半波整流器より構成することが可能であり、前記整流装置（ＢＲ１０１）の数量は一個或いは一個以上であり、
前記一方向性導電発光ダイオードセット（Ｌ１００）は一個の発光ダイオード（ＬＥＤ１０１）順発光電流極性検出器より構成し、或いは、二個或いは二個以上の前記発光ダイオード（ＬＥＤ１０１）順発光電流極性検出器を直列或いは並列接続して構成し、或いは、三個或いは三個以上の前記発光ダイオード（ＬＥＤ１０１）順発光電流極性検出器を直列、並列、直並列接続して構成し、前記一方向性導電発光ダイオードセット（Ｌ１００）はニーズによって一セット或いは一セット以上の選択が可能で、前記整流装置（ＢＲ１０１）出力の直流の電気エネルギーによって駆動し、
前記整流装置（ＢＲ１０１）の交流入力端は前記第二インピーダンス（Ｚ１０２）の両端に減衰波形を示す二方向性電気エネルギーの分圧電気エネルギーを受け、かつ前記整流装置（ＢＲ１０１）によって直流の電気エネルギーに整流され、前記一方向性導電の発光ダイオード（Ｌ１００）を駆動し、前記第一インピーダンス（Ｚ１０１）を通して、電流を制限し、前記コンデンサー（Ｃ１００）を前記第一インピーダンス（Ｚ１０１）として選択して使用するとき、キャパシティブインピーダンスを通して出力電流を制限し、
放電抵抗（Ｒ１０１）はオプションコンポネントであり、前記第一インピーダンス（Ｚ１０１）に前記コンデンサー（Ｃ１００）、例えば、二極性コンデンサーを選択して使用するとき、前記第一インピーダンス（Ｚ１０１）を構成する前記コンデンサー（Ｃ１００）の両端に並列接続することによって、前記コンデンサー（Ｃ１００）の残留電荷を放電し、
限流抵抗（Ｒ１０３）はオプションコンポネントであり、個別前記一方向性導電発光ダイオードセット（Ｌ１００）を構成する前記発光ダイオード（ＬＥＤ１０１）を直列に接続することによって、前記発光ダイオード（ＬＥＤ１０１）の通過電流を制限し、前記限流抵抗（Ｒ１０３）は誘導性インピーダンス（Ｉ１０３）によって取り替えられることが可能であり、
前記第一インピーダンス（Ｚ１０１）、第前記二インピーダンス（Ｚ１０２）、前記整流装置（ＢＲ１０１）、前記一方向性導電発光ダイオードセット（Ｌ１００）を通して、上記の回路構造に従って接続し、ＬＥＤ一方向性駆動回路（Ｕ１００）を構成することを特徴とする請求項１記載の非共振ＬＥＤ一方向性駆動回路。
【請求項４】
ＬＥＤ一方向性駆動回路（Ｕ１００）の中で前記一方向性導電発光ダイオードセット（Ｌ１００）を通して、前記整流装置（ＢＲ１０１）と前記第二インピーダンス（Ｚ１０２）を経て並列接続の電流分流効果を形成し、電源電圧が変動するとき、前記一方向性導電発光ダイオードセット（Ｌ１００）の両端の電源電圧変動率を減少させることが可能であることを特徴とする請求項１記載の非共振ＬＥＤ一方向性駆動回路。
【請求項５】
ＬＥＤ一方向性駆動回路（Ｕ１００）の中で前記一方向性導電発光ダイオードセット（Ｌ１００）を構成する前記発光ダイオード（ＬＥＤ１０１）の選択は下記を含み、
前記一方向性導電発光ダイオードセット（Ｌ１００）は一個の発光ダイオード順発光電流極性検出器を設置することによって構成され、或いは、二個或いは二個以上の前記発光ダイオード順発光電流極性検出器の直列接続或いは並列接続によって構成され、或いは、三個或いは三個以上の前記発光ダイオード順発光電流極性検出器の直列接続、並列接続、直並列接続によって構成され、一前記方向性導電発光ダイオードセット（Ｌ１００）はニーズによって一セット或いは一セット以上を選択設置することを特徴とする請求項１記載の非共振ＬＥＤ一方向性駆動回路。
【請求項６】
前記発光ダイオードを保護し、及び前記発光ダイオード（ＬＥＤ１０１）の異常電圧による損傷や寿命短縮を防ぐために、非共振ＬＥＤ一方向性駆動回路は、ＬＥＤ一方向性駆動回路（Ｕ１００）の中に更に前記一方向性導電発光ダイオードセット（Ｌ１００）を構成する前記発光ダイオード（ＬＥＤ１０１）の両端をツェナーダイオードと並列接続し、或いは、前記ツェナーダイオードをまず少なくとも一個のダイオードと直列接続し、ツェナー電圧効果を生じさせてから、再び前記発光ダイオード（ＬＥＤ１０１）の両端と並列に接続し、その構成は下記を含み、
ＬＥＤ一方向性駆動回路（Ｕ１００）の中に前記一方向性導電発光ダイオードセット（Ｌ１００）を構成する前記発光ダイオード（ＬＥＤ１０１）の両端を前記ツェナーダイオード（ＺＤ１０１）と並列接続し、その極性関係は前記ツェナーダイオード（ＺＤ１０１）のツェナー電圧によって前記発光ダイオード（ＬＥＤ１０１）の両端の工作電圧を制限し、
ＬＥＤ一方向性駆動回路（Ｕ１００）の中で前記一方向性導電発光ダイオードセット（Ｌ１００）を構成する前記発光ダイオード（ＬＥＤ１０１）の両端に前記ツェナーダイオード（ＺＤ１０１）を並列接続し、前記ツェナーダイオード（ＺＤ１０１）はニーズによって前記ダイオード（ＣＲ２０１）と前記ツェナーダイオード（ＺＤ１０１）を直列接続することによって、共同してツェナー電圧効果の機能を形成し、その利点は１．前記ツェナーダイオード（ＺＤ１０１）を保護し、不正常な逆方向電流を防ぐことが可能であり、２．前記ダイオード（ＣＲ２０１）と前記ツェナーダイオード（ＺＤ１０１）の二者は温度補償効果を持っていることを特徴とする請求項１記載の非共振ＬＥＤ一方向性駆動回路。
【請求項７】
ＬＥＤ一方向性駆動回路（Ｕ１００）の中で前記発光ダイオードの発光安定度を高めるために、更に前記発光ダイオード（ＬＥＤ１０１）に充放電可能装置（ＥＳＤ１０１）を設置し、前記充放電可能装置（ＥＳＤ１０１）はアットランダムに充電或いは電気エネルギーを釈放することによって、前記発光ダイオード（ＬＥＤ１０１）の発光を安定させ、明度の脈動を減少し、或いは、断電時、前記充放電可能装置（ＥＳＤ１０１）より貯蔵した電気エネルギーを出力することにより、前記充放電可能装置（ＥＳＤ１０１）を駆動し、持続発光させ、その構成は下記を含み、
更に前記一方向性導電発光ダイオードセット（Ｌ１００）を前記充放電可能装置（ＥＳＤ１０１）と接続し、前記発光ダイオード（ＬＥＤ１０１）と限流抵抗（Ｒ１０３）の直列接続後の両端或いは直接に前記発光ダイオード（ＬＥＤ１０１）の両端に極性に従って前記充放電可能装置（ＥＳＤ１０１）を並列接続し、前記充放電可能装置（ＥＳＤ１０１）はアットランダムに充電或いは電気エネルギーを放出することによって、前記発光ダイオード（ＬＥＤ１０１）の発光を安定させ、断電時、前記充放電可能装置（ＥＳＤ１０１）より貯蔵した電気エネルギーを出力することにより、前記発光ダイオード（ＬＥＤ１０１）を駆動して持続発光させることを含み、
前記充放電可能装置（ＥＳＤ１０１）は各種のよく使われる充放電可能な電池、超コンデンサー、コンデンサーによって構成されることを特徴とする請求項１記載の非共振ＬＥＤ一方向性駆動回路。
【請求項８】
ＬＥＤ一方向性駆動回路（Ｕ１００）の前記一方向性導電発光ダイオードセット（Ｌ１００）中に一セットの前記一方向性導電発光ダイオードセット（Ｌ１００）を選択設置し、或いは、一セット以上の前記一方向性導電発光ダイオードセット（Ｌ１００）を選択設置し、直列、並列、直並列に接続することが可能であり、一セット或いは一セット以上を選択設置する場合、共同して同一インピーダンス（Ｚ１０２）の分圧電気エネルギーを受け、マッチする前記整流装置（ＢＲ１０１）より駆動され、或いは、多セットの直列或いは並列に接続する前記第二インピーダンス（Ｚ１０２）より個別マッチされ、多セットの前記第二インピーダンス（Ｚ１０２）の分圧電気エネルギーから個別整流装置（ＢＲ１０１）を経て個別マッチの前記一方向性導電発光ダイオードセット（Ｌ１００）を駆動することを特徴とする請求項１記載の非共振ＬＥＤ一方向性駆動回路。
【請求項９】
ＬＥＤ一方向性駆動回路（Ｕ１００）の中に前記充放電可能装置（ＥＳＤ１０１）を設ける場合、前記一方向性導電発光ダイオードセット（Ｌ１００）の中の前記発光ダイオード（ＬＥＤ１０１）を駆動し、連続直流によって通電発光することを特徴とする請求項１記載の非共振ＬＥＤ一方向性駆動回路。
【請求項１０】
充放電可能装置（ＥＳＤ１０１）を設置しない場合、前記発光ダイオード（ＬＥＤ１０１）は断続導電となり、前記発光ダイオード（ＬＥＤ１０１）は入力電圧波形及び導電と断電時間の割合に従って、通電発光時の順電流値を相対選定し、及び前記一方向性導電性発光ダイオードセット（Ｌ１００）の各前記発光ダイオードの通電発光時の順電圧ピーク値を相対選択することによって、回路中の前記発光ダイオード（ＬＥＤ１０１）は断続導電の駆動状態である場合、導電と断電時間の割合によって定格順電圧より高い値を通電発光の順電圧ピーク値として選定し、ただし原則として通電発光の順電圧ピーク値は前記発光ダイオード（ＬＥＤ１０１）にダメージを与えてはならないことを特徴とする請求項１記載の非共振ＬＥＤ一方向性駆動回路。
【請求項１１】
充放電可能装置（ＥＳＤ１０１）を設置しない場合、通電発光の順電圧の高低及び波形は、通電発光の順電圧が通電発光の順電流に対する割合の電流大小及び電流波形を形成し、ただし原則として通電発光の順電圧ピーク値は前記発光ダイオード（ＬＥＤ１０１）にダメージを与えてはならないことを特徴とする請求項１記載の非共振ＬＥＤ一方向性駆動回路。
【請求項１２】
ＬＥＤ一方向性駆動回路（Ｕ１００）を応用するとき、下記各直流の電気エネルギーの入力を含み、
１．直流脈動の電気エネルギーを入力し、或いは、
２．直流電源を固定或いは可変電圧に転換し、及び固定或いは可変周期の直流脈動の電気エネルギーを入力し、或いは、
３．交流の電気エネルギーを直流の電気エネルギーに整流し、固定或いは可変電圧に再転換し、及び固定或いは可変周期の直流脈動の電気エネルギーを入力し、或いは、
４．固定或いは可変電圧及び固定或いは可変周波数の交流の電気エネルギーを入力し、半波或いは全波の直流脈動の電気エネルギーに整流することを特徴とする請求項１記載の非共振ＬＥＤ一方向性駆動回路。
【請求項１３】
直列式電気エネルギーパワーコントローラーに直列接続することが可能であり、直列式電気エネルギーパワーコントローラーの構成は下記を含み、
直列式直流の前記電気エネルギーパワーコントローラー（３３０）はよく使われるメカトロニクスコンポネント或いは固体パワーコンポネント及び電子回路関連コンポネントによって構成され、直流脈動の電気エネルギーの出力パワーを制御し、
直列式二方向性電気エネルギーパワーコントローラー（３００）はよく使われるメカトロニクスコンポネント或いは固体パワーコンポネント及び電子回路関連コンポネントによって構成され、二方向性電気エネルギーの出力パワーを制御し、
回路の作動機能は下記の通りであり、
１．直列式直流の前記電気エネルギーパワーコントローラー（３３０）をＬＥＤ一方向性駆動回路（Ｕ１００）と直列接続し、二者を直列接続してから、電源からの直流脈動の電気エネルギーを入力し、直列式直流の電気エネルギーパワーコントローラー（３３０）を通して、電源からの脈動の電気エネルギーを調整制御し、パルス幅変調を行い、或いは、導電の位相角を制御し、或いは、インピーダンスの調整制御等の方式でパワーを調整制御することによって、ＬＥＤ一方向性駆動回路（Ｕ１００）を駆動し、或いは、
２．前記直列式二方向性電気エネルギーパワーコントローラー（３００）を第二インピーダンス（Ｚ１０２）と整流装置（ＢＲ１０１）の交流入力端との間に直列接続し、前記直列式二方向性電気エネルギーパワーコントローラー（３００）を通して、前記第二インピーダンス（Ｚ１０２）の両端で減衰波形を示す二方向性脈動の分圧電気エネルギーを調整制御し、パルス幅変調を行い、或いは、導電の位相角をコントロールし、或いは、インピーダンスの調整制御等の方式でパワーを調整制御することによって、前記整流装置（ＢＲ１０１）を経て前記一方向性導電発光ダイオードセット（Ｌ１００）を駆動し、或いは、
３．直列式直流の前記電気エネルギーパワーコントローラー（３３０）を前記整流装置（ＢＲ１０１）の直流出力端と前記一方向性導電発光ダイオードセット（Ｌ１００）との間に直列接続し、直列式直流の前記電気エネルギーパワーコントローラー（３３０）を経て前記整流装置（ＢＲ１０１）からの直流の電気エネルギーのパルス幅変調を行い、或いは、導電の位相角を制御し、或いは、インピーダンスの調整制御等の方式でパワーを調整制御することによって、前記一方向性導電発光ダイオードセット（Ｌ１００）を駆動することを特徴とする請求項１記載の非共振ＬＥＤ一方向性駆動回路。
【請求項１４】
並列式電気エネルギーパワーコントローラーに並列接続することが可能であり、並列式電気エネルギーパワーコントローラーの構成は下記を含み、
並列式直流の前記電気エネルギーパワーコントローラー（４３０）はよく使われるメカトロニクスコンポネント或いは固体パワーコンポネント及び電子回路関連コンポネントによって構成され、直流脈動の電気エネルギーの出力パワーを制御し、
並列式二方向性電気エネルギーパワーコントローラー（４００）はよく使われるメカトロニクスコンポネント或いは固体パワーコンポネント及び電子回路関連コンポネントによって構成され、二方向性電気エネルギーの出力パワーを制御し、
回路の作動機能は下記通りであり、
１．並列式直流の前記電気エネルギーパワーコントローラー（４３０）の出力端をＬＥＤ一方向性駆動回路（Ｕ１００）と並列接続し、かつ並列式直流の前記電気エネルギーパワーコントローラー（４３０）の入力端へ電源からの直流脈動の電気エネルギーを入力し、並列式直流の前記電気エネルギーパワーコントローラー（４３０）を通して、電源からの直流脈動の電気エネルギーを調整制御し、パルス幅変調を行い、或いは、導電の位相角を制御し、或いは、インピーダンスを調整制御する等の方式でパワーを調整制御することにより、ＬＥＤ一方向性駆動回路（Ｕ１００）を駆動し、或いは、
２．前記並列式二方向性電気エネルギーパワーコントローラー（４００）の出力端を前記整流装置（ＢＲ１０１）の交流入力端と並列接続し、かつ前記並列式二方向性電気エネルギーパワーコントローラー（４００）の入力端を前記第二インピーダンス（Ｚ１０２）の両端に並列接続し、前記並列式二方向性電気エネルギーパワーコントローラー（４００）を通して、前記第二インピーダンス（Ｚ１０２）の両端で減衰波形を示す二方向性脈動の分圧電気エネルギーを調整制御し、パルス幅変調を行い、或いは、導電の位相角を制御し、或いは、インピーダンスを調整制御する等の方式でパワーを調整制御し、整流装置（ＢＲ１０１）によって前記一方向性導電発光ダイオードセット（Ｌ１００）を駆動し、或いは、
３．並列式直流の前記電気エネルギーパワーコントローラー（４３０）の出力端を前記一方向性導電発光ダイオードセット（Ｌ１００）と並列接続し、かつ並列式直流の前記電気エネルギーパワーコントローラー（４３０）の入力端を整流装置（ＢＲ１０１）の直流出力端と並列接続し、並列式直流の前記電気エネルギーパワーコントローラー（４３０）を通して、前記整流装置（ＢＲ１０１）からの直流の電気エネルギーを調整制御し、パルス幅変調を行い、或いは、導電の位相角を制御し、或いは、インピーダンスを調整制御する等の方式でパワーを調整制御することによって、前記一方向性導電発光ダイオードセット（Ｌ１００）を駆動することを特徴とする請求項１記載の非共振ＬＥＤ一方向性駆動回路。
【請求項１５】
ＤＣ−ＤＣコンバータの電気エネルギーで駆動することが可能で、その主な構成は下記を含み、
前記ＤＣ−ＤＣコンバータ（５０００）はよく使われるメカトロニクス或いは固体パワーコンポネント及び電子回路関連コンポネントより構成され、入力端へ直流の電気エネルギーを入力し、出力端はニーズによって選定した固定或いは可変電圧及び固定或いは可変周期の直流脈動の電気エネルギーを出力し、
回路の作動機能は下記の通りであり、
前記ＤＣ−ＤＣコンバータ（５０００）の入力端へ直流の電気エネルギーを入力し、出力端から直流脈動の電気エネルギーを出力し、かつＬＥＤ一方向性駆動回路（Ｕ１００）を前記ＤＣ−ＤＣコンバータ（５０００）の出力端と並列に接続し、かつ前記ＤＣ−ＤＣコンバータ（５０００）の入力端はニーズによって選定する固定或いは可変電圧の直流電気エネルギーを入力し、或いは、交流電気エネルギーを直流電気エネルギーに整流してから入力し、
前記ＤＣ−ＤＣコンバータ（５０００）の出力端はニーズによって選定した固定或いは可変電圧及び固定或いは可変周期の脈動の電気エネルギーを出力することによって、ＬＥＤ一方向性駆動回路（Ｕ１００）を制御及び駆動し、
前記ＤＣ−ＤＣコンバータ（５０００）は出力パワー制御を通して、或いは、出力する電気エネルギーに対してパルス幅変調を行い、或いは、導電の位相角を制御し、或いは、インピーダンス制御等の方式でパワーを制御することによって、ＬＥＤ一方向性駆動回路（Ｕ１００）を制御及び駆動することを特徴とする請求項１記載の非共振ＬＥＤ一方向性駆動回路。
【請求項１６】
ＬＥＤ一方向性駆動回路（Ｕ１００）を少なくとも一個のよく使うインピーダンスコンポネント（５００）と直列接続してから、電源と並列接続し、前記インピーダンスコンポネント（５００）は下記を含み、
１．前記インピーダンスコンポネント（５００）はキャパシティブインピーダンス特性を持つコンポネントより構成し、或いは、
２．前記インピーダンスコンポネント（５００）は誘導性インピーダンス特性を持つデバイスより構成し、或いは、
３．イ前記ンピーダンスコンポネント（５００）は抵抗性インピーダンス特性を持つコンポネントより構成し、或いは、
４．前記インピーダンスコンポネント（５００）は単一インピーダンスコンポネントが同時にキャパシティブインピーダンス、誘導性インピーダンス或いは抵抗性インピーダンスの中で少なくとも二種の合成インピーダンス特性を持つコンポネントより構成されることによって、直流性質のインピーダンス或いは交流性質のインピーダンスを提供し、或いは、
５．前記インピーダンスコンポネント（５００）は単一インピーダンスコンポネントがキャパシティブインピーダンス或いは誘導性インピーダンスの合成インピーダンス特性を持つコンポネントより構成され、かつ固有共振周波数と通過する二方向性或いは一方向性脈動の電気エネルギーの周波数或いは周期は同じで、並列共振状態になることが可能であり、或いは、
６．前記インピーダンスコンポネント（５００）はキャパシティブインピーダンスコンポネント、誘導性インピーダンスコンポネント或いは抵抗性インピーダンスコンポネントより構成され、その中の一種或いは一種以上を含み、及び一個或いは一個以上のインピーダンスコンポネントより構成され、或いは、二種或いは二種以上の直列に接続するインピーダンスコンポネントを採用し、或いは、並列や直並列接続より構成され、直流性質のインピーダンス或いは交流性質のインピーダンスを提供し、或いは、
７．前記インピーダンスコンポネント（５００）はキャパシティブインピーダンスコンポネントと誘導性インピーダンスコンポネントが互いに直列に接続することにより構成され、二者を直列接続後の固有直列共振周波数は通過する二方向性或いは一方向性脈動の電気エネルギーの周波数や周期と同じで、直列共振状態を形成し、相対的にキャパシティブインピーダンスコンポネント或いは誘導性インピーダンスコンポネントの両端に直列共振を示す相対端の電圧を形成することが可能であり、
或いは、キャパシティブインピーダンスと誘導性インピーダンスを互いに並列接続し、並列接続後の固有並列共振周波数は通過する二方向性或いは一方向性脈動の電気エネルギーの周波数或いは周期と同じで、かつ並列共振状態を形成し、及び相対端の電圧を形成することが可能であることを特徴とする請求項１記載の非共振ＬＥＤ一方向性駆動回路。
【請求項１７】
選択とする前記第二インピーダンス（Ｚ１０２）の誘導性インピーダンスコンポネント（Ｉ２００）は、更に誘導効果を持つ変圧器の電源巻線に換えることが可能で、単巻変圧器（ＳＴ２００）の昇圧機能を持つ単巻変圧巻線（Ｗ０）を示し、前記単巻変圧器（ＳＴ２００）の前記単巻変圧巻線（Ｗ０）のｂ端、ｃ端を電源側とし、前記第二インピーダンス（Ｚ１０２）の中の前記誘導性インピーダンスコンポネント（Ｉ２００）を取り替え、コンデンサー（Ｃ２００）と並列接続することによって、前記第二インピーダンス（Ｚ１０２）を構成し、ただし前記単巻変圧巻線（Ｗ０）と前記コンデンサー（Ｃ２００）を並列接続してからの固有並列共振周波数は脈動の電気エネルギーの脈動周期と並列共振状態を形成せず、前記単巻変圧器（ＳＴ２００）の前記単巻変圧巻線（Ｗ０）のａ出力端、ｃ出力端より昇圧の二方向性に交互に切り替える交流電気エネルギーを出力することにより、前記整流装置（ＢＲ１０１）の交流入力端へ出力し、かつ前記整流装置（ＢＲ１０１）の直流出力端によって前記一方向性導電発光ダイオードセット（Ｌ１００）を駆動することを特徴とする請求項１記載の非共振ＬＥＤ一方向性駆動回路。
【請求項１８】
選択とする前記第二インピーダンス（Ｚ１０２）の誘導性インピーダンスコンポネント（Ｉ２００）は、更に誘導効果を持つ変圧器の電源巻線に換えることが可能で、単巻変圧器（ＳＴ２００）の降圧機能を持つ単巻変圧巻線（Ｗ０）を示し、単巻変圧器（ＳＴ２００）の単巻変圧巻線（Ｗ０）のａ端、ｃ端を電源側とし、前記第二インピーダンス（Ｚ１０２）の中の前記誘導性インピーダンスコンポネント（Ｉ２００）を取り替え、コンデンサー（Ｃ２００）と並列接続することによって、前記第二インピーダンス（Ｚ１０２）を構成し、ただし前記巻変圧巻線（Ｗ０）と前記コンデンサー（Ｃ２００）を並列接続してからの固有並列共振周波数は脈動の電気エネルギーの脈動周期と並列共振状態を形成せず、前記単巻変圧器（ＳＴ２００）の前記単巻変圧巻線（Ｗ０）のｂ出力端、ｃ出力端より降圧の二方向性に交互に切り替える交流電気エネルギーを出力することにより、前記整流装置（ＢＲ１０１）の交流入力端へ出力し、かつ前記整流装置（ＢＲ１０１）の直流出力端によって前記一方向性導電発光ダイオードセット（Ｌ１００）を駆動することを特徴とする請求項１記載の非共振ＬＥＤ一方向性駆動回路。
【請求項１９】
前記第二インピーダンス（Ｚ１０２）の誘導性負荷インピーダンスコンポネント（Ｉ２００）の選択は、更に誘導効果を持つ変圧器の電源巻線に換えることが可能で、分離式変圧器（ＩＴ２００）は一次巻線（Ｗ１）及び二次巻線（Ｗ２）によって構成され、前記一次巻線（Ｗ１）と前記二次巻線（Ｗ２）の二者が分離され、前記一次巻線（Ｗ１）とコンデンサー（Ｃ２００）を並列接続することによって、前記第二インピーダンスを構成し、ただし前記一次巻線（Ｗ１）と前記コンデンサー（Ｃ２００）を並列接続してからの固有並列共振周波数は脈動の電気エネルギーの脈動周期と並列共振状態を形成せず、前記分離式変圧器（ＩＴ２００）の前記二次巻線（Ｗ２）の出力電圧はニーズによって昇圧或いは降圧の選択が可能で、前記二次巻線から出力する二方向性に交互に切り替える交流電気エネルギーを前記整流装置（ＢＲ１０１）の交流入力端へ出力し、前記整流装置（ＢＲ１０１）の直流出力端から前記一方向性導電発光ダイオードセット（Ｌ１００）へ出力し、
上記の変圧器の電源巻線によって前記第二インピーダンス（Ｚ１０２）中の前記誘導性インピーダンスコンポネント（Ｉ２００）を取り替え、前記コンデンサー（Ｃ２００）と並列接続することによって、前記第二インピーダンス（Ｚ１０２）を構成し、前記分離式変圧器（ＩＴ２００）の二次側昇圧交流電圧或いは降圧交流の電気エネルギーを前記整流装置（ＢＲ１０１）の交流入力端へ伝送してから、前記整流装置（ＢＲ１０１）の出力端から直流の電気エネルギーを出力することによって、前記一方向性導電発光ダイオードセット（Ｌ１００）を駆動することを特徴とする請求項１記載の非共振ＬＥＤ一方向性駆動回路。
【発明の詳細な説明】
【技術分野】
【０００１】
本発明は、脈動の電気エネルギーによる非共振ＬＥＤ一方向性駆動回路に関する。本発明の非共振ＬＥＤ一方向性駆動回路は、一種の脈動の電気エネルギーを電源とし、キャパシティブインピーダンスコンポネント、誘導性インピーダンスコンポネント或いは抵抗性インピーダンスコンポネントによって第一インピーダンスを構成する。及び並列接続してからの固有並列共振（ｐａｒａｌｌｅｌ  ｒｅｓｏｎａｎｃｅ）周波数は、脈動の電気エネルギーの脈動周期と相異で、並列共振（ｐａｒａｌｌｅｌ  ｒｅｓｏｎａｎｃｅ）を形成しない誘導性インピーダンスコンポネントとキャパシティブインピーダンスコンポネントを採用し、二者を並列接続することによって、第二インピーダンスを構成する。
【０００２】
第一インピーダンスと第二インピーダンスとを直列接続し、直列接続後の両端に直流脈動の電気エネルギーを入力し、直列接続する第一インピーダンス及び第二インピーダンスによって、入力する直流脈動の電気エネルギーの電圧を分圧することを通して、第二インピーダンスの両端に減衰波形を示す二方向性に交互に切り替える電気エネルギーの分圧を形成する。かつ第二インピーダンスの分圧電気エネルギーを整流装置によって一方向性直流の電気エネルギーに整流してから、一方向性導電の発光ダイオードを駆動する。或いは、別々に少なくとも二個の第一インピーダンス及び第二インピーダンスの両端に並列接続する整流装置を駆動することによって、整流装置より別々に第一インピーダンス及び第二インピーダンスの交流の電気エネルギーを直流に整流してから出力し、更に個別の一方向性導電発光ダイオードを駆動する。
【背景技術】
【０００３】
伝統の交流の電気エネルギー或いは直流の電気エネルギーをＬＥＤ駆動回路の電源とするとき、ＬＥＤ電流を制限するために、通常は、限流抵抗を直列接続してインピーダンスとし、直列抵抗性インピーダンスの電圧が下がると、電気エネルギーがロスし、及び熱が溜まる欠点がある。
【発明の概要】
【発明が解決しようとする課題】
【０００４】
本発明の非共振ＬＥＤ一方向性駆動回路を高周波脈動電源に応用すると、小型化、軽量化、コスト削減が可能である。
【課題を解決するための手段】
【０００５】
本発明の非共振ＬＥＤ一方向性駆動回路は、一種の脈動の電気エネルギーを電源とし、キャパシティブインピーダンスコンポネント、誘導性インピーダンスコンポネント或いは抵抗性インピーダンスコンポネントによって第一インピーダンスを構成する。及び並列接続してからの固有並列共振（ｐａｒａｌｌｅｌ  ｒｅｓｏｎａｎｃｅ）周波数は、脈動の電気エネルギーの脈動周期と相異で、並列共振（ｐａｒａｌｌｅｌ  ｒｅｓｏｎａｎｃｅ）を形成しない誘導性インピーダンスコンポネントとキャパシティブインピーダンスコンポネントを採用し、二者を並列接続することによって、第二インピーダンスを構成する。
【０００６】
第一インピーダンスと第二インピーダンスとを直列接続し、直列接続後の両端に直流脈動の電気エネルギーを入力し、直列接続する第一インピーダンス及び第二インピーダンスによって、入力する直流脈動の電気エネルギーの電圧を分圧することを通して、第二インピーダンスの両端に減衰波形を示す二方向性に交互に切り替える電気エネルギーの分圧を形成する。かつ第二インピーダンスの分圧電気エネルギーを整流装置によって一方向性直流の電気エネルギーに整流してから、一方向性導電の発光ダイオードを駆動する。或いは、別々に少なくとも二個の第一インピーダンス及び第二インピーダンスの両端に並列接続する整流装置を駆動することによって、整流装置より別々に第一インピーダンス及び第二インピーダンスの交流の電気エネルギーを直流に整流してから出力し、更に個別の一方向性導電発光ダイオードを駆動することを特徴とする。
【０００７】
本発明は、一種の脈動の電気エネルギーを電源とし、キャパシティブインピーダンスコンポネント或いは誘導性インピーダンスコンポネントまたは抵抗性インピーダンスコンポネントを通して、第一インピーダンスを構成する。及び並列接続してからの固有並列共振（ｐａｒａｌｌｅｌ  ｒｅｓｏｎａｎｃｅ）周波数は脈動の電気エネルギーの脈動周期と相異で、並列共振（ｐａｒａｌｌｅｌ  ｒｅｓｏｎａｎｃｅ）を形成しない誘導性インピーダンスコンポネントとキャパシティブインピーダンスコンポネントを採用し、二者を並列接続することによって、第二インピーダンスを構成する。第一インピーダンスと第二インピーダンスを直列に接続し、直列接続後の両端へ脈動の直流の電気エネルギーを電源として入力する。それは下記を含む。
【０００８】
（１）直流脈動の電気エネルギーを入力する。
（２）或いは、直流電源を固定或いは可変電圧に転換し、及び固定或いは可変周期の直流脈動の電気エネルギーを入力する。
（３）或いは、交流の電気エネルギーを直流の電気エネルギーに整流し、固定或いは可変電圧に再転換し、及び固定或いは可変周期の直流脈動の電気エネルギーを入力する。
【０００９】
（４）或いは、固定或いは可変電圧及び固定或いは可変周波数の交流の電気エネルギーを入力し、半波或いは全波の直流脈動の電気エネルギーに整流する。
第一インピーダンス及び第二インピーダンスを直列接続し、入力する直流脈動の電気エネルギーの電圧を分圧することを通して、第二インピーダンスの両端に二方向性に交互に切り替える電気エネルギーの分圧を形成する。かつ第二インピーダンスの分圧電気エネルギーを整流装置によって一方向性直流の電気エネルギーに整流してから、一方向性導電の発光ダイオードを駆動する。本発明の非共振ＬＥＤ一方向性駆動回路を高周波脈動電源に応用すると、小型化、軽量化、コスト削減が可能であることを特徴とする。
【図面の簡単な説明】
【００１０】
【図１】本発明の一実施形態による非共振ＬＥＤ一方向性駆動回路を示す回路図である。
【図２】本発明の一実施形態による非共振ＬＥＤ一方向性駆動回路を示す回路図である。
【図３】図２の回路の一方向性導電発光ダイオードセットにツェナーダイオードを加設する回路を示す回路図である。
【図４】図３の回路の発光ダイオードと直列に接続する限流抵抗の両端を充放電可能装置と並列に接続する回路を示す回路図である。
【図５】図３の回路の発光ダイオードの両端を充放電可能装置と並列に接続する回路を示す回路図である。
【図６】本発明の一実施形態による非共振ＬＥＤ一方向性駆動回路の直列式電気エネルギーパワーコントローラーと直列に接続する回路を示す回路図である。
【図７】本発明の一実施形態による非共振ＬＥＤ一方向性駆動回路の並列式電気エネルギーパワーコントローラーと並列に接続する回路を示す回路図である。
【図８】本発明の一実施形態による非共振ＬＥＤ一方向性駆動回路のＤＣ−ＤＣコンバータより出力する電気エネルギーを受けてから駆動する回路を示す回路図である。
【図９】本発明の一実施形態による非共振ＬＥＤ一方向性駆動回路のインピーダンスコンポネントと直列に接続する回路を示す回路図である。
【図１０】本発明の一実施形態による非共振ＬＥＤ一方向性駆動回路のインピーダンスコンポネントと直列接続してスイッチユニットを通して接続する制御回路を示す回路図である。
【図１１】本発明の一実施形態による非共振ＬＥＤ一方向性駆動回路の単巻変圧の電源巻線によって第二インピーダンスの誘導性インピーダンスコンポネントを取り替える昇圧回路を示す回路図である。
【図１２】本発明の一実施形態による非共振ＬＥＤ一方向性駆動回路の単巻変圧の電源巻線によって第二インピーダンスの誘導性インピーダンスコンポネントを取り替える降圧回路を示す回路図である。
【図１３】本発明の一実施形態による非共振ＬＥＤ一方向性駆動回路の分離式変圧器の一次巻線によって第二インピーダンスの誘導性インピーダンスコンポネントを取り替える回路を示す回路図である。
【発明を実施するための形態】
【００１１】
本発明の一実施形態による非共振ＬＥＤ一方向性駆動回路は、少なくとも一個のキャパシティブインピーダンスコンポネント、或いは誘導性インピーダンスコンポネント、或いは抵抗性インピーダンスコンポネントによって第一インピーダンスを構成する。及び少なくとも一個のキャパシティブインピーダンスコンポネントと少なくとも一個の誘導性インピーダンスコンポネントを並列に接続することによって、第二インピーダンスを構成する。二者を並列接続してからの固有並列共振（ｐａｒａｌｌｅｌ  ｒｅｓｏｎａｎｃｅ）周波数は、脈動の電気エネルギーの脈動周期と相異で、並列共振（ｐａｒａｌｌｅｌ  ｒｅｓｏｎａｎｃｅ）を形成しない。及び少なくとも一個の発光ダイオードによって一方向性導電の発光ダイオードセットを構成し、少なくとも一個の整流装置の正負出力端に接続し、また、整流装置の交流入力端を第二インピーダンスの両端に並列接続する。
【００１２】
上記回路の第一インピーダンスと第二インピーダンスを直列接続する両端に脈動の電気エネルギーを入力する。第二インピーダンスで並列接続するコンデンサー及び誘導性インピーダンスコンポネントが減衰波形を示す二方向性に交互に切り替える電気エネルギーの分圧を通して、第二インピーダンスの減衰波形を示す二方向性に交互に切り替える電気エネルギーの分圧を第二インピーダンス両端に並列接続する整流装置の交流の電気エネルギー入力端へ伝送する。整流される直流の電気エネルギーは、少なくとも一個の一方向性導電の発光ダイオードセットを駆動し、或いは、別々に少なくとも二個の第一インピーダンス及び第二インピーダンスの両端に並列接続する整流装置を駆動することによって、整流装置より別々に第一インピーダンス及び第二インピーダンスの交流の電気エネルギーを直流に整流してから出力する。更に個別の一方向性導電発光ダイオードを駆動し、本実施形態の非共振ＬＥＤ一方向性駆動回路を構成する。
【００１３】
図１は、本実施形態の非共振ＬＥＤ一方向性駆動回路の回路図である。図１に示すように、ＬＥＤ一方向性駆動回路Ｕ１００を通して、関連回路機能の作動を示す。ＬＥＤ一方向性駆動回路Ｕ１００の構成は下記を含む。
第一インピーダンスＺ１０１は、キャパシティブインピーダンスコンポネント、或いは誘導性インピーダンスコンポネントや抵抗性インピーダンスコンポネントによって構成され、或いは、その中の一種や一種以上、及び一個や一個以上のインピーダンスコンポネントによって構成される。或いは、二種や二種以上のインピーダンスコンポネントによって構成される。各種のインピーダンスコンポネントは、別々に一個や一個以上のインピーダンスコンポネントを直列、並列、直並列接続して構成される。
【００１４】
第一インピーダンスＺ１０１は、少なくとも一個のキャパシティブインピーダンスコンポネントと少なくとも一個の誘導性インピーダンスコンポネントを互いに直列接続する。二者を直列接続してからの固有直列共振（ｓｅｒｉｅｓ  ｒｅｓｏｎａｎｃｅ）周波数と交換周期極性の直流電源の周期とは同じであって、直列共振（ｓｅｒｉｅｓ  ｒｅｓｏｎａｎｃｅ）状態を形成する。
或いは、第一インピーダンスＺ１０１は、少なくとも一個のキャパシティブインピーダンスコンポネント及び少なくとも一個の誘導性インピーダンスコンポネントを互いに並列接続する。二者を並列接続してからの固有並列共振（ｐａｒａｌｌｅｌ  ｒｅｓｏｎａｎｃｅ）周波数と交換周期極性の直流電源の周期とは同じであって、並列共振（ｐａｒａｌｌｅｌ  ｒｅｓｏｎａｎｃｅ）状態を形成する。
【００１５】
第二インピーダンスは、少なくとも一個のキャパシティブインピーダンスコンポネントと少なくとも一個の誘導性インピーダンスコンポネントを並列接続することによって構成される。二者を並列接続してからの固有並列共振（ｐａｒａｌｌｅｌ  ｒｅｓｏｎａｎｃｅ）周波数は脈動の電気エネルギーの脈動周期と相異で、並列共振（ｐａｒａｌｌｅｌ  ｒｅｓｏｎａｎｃｅ）を形成しない。
本実施形態の非共振ＬＥＤ一方向性駆動回路は、ニーズによってキャパシティブインピーダンスコンポネント、誘導性インピーダンスコンポネント、抵抗性インピーダンスコンポネントを選択することが可能で、三者の中から少なくとも一種のインピーダンスコンポネントによって第一インピーダンスＺ１０１を構成する。
【００１６】
本実施形態の非共振ＬＥＤ一方向性駆動回路は、第一インピーダンスＺ１０１の不使用を選択することが可能で、第二インピーダンスＺ１０２を直接に脈動の電気エネルギーの電源に並列接続することによって、非並列共振（ｐａｒａｌｌｅｌ  ｒｅｓｏｎａｎｃｅ）状態を作動し、ただし減衰波形を示す二方向性に交互に切り替える電気エネルギーを形成する。
整流装置ＢＲ１０１は、第一インピーダンスＺ１０１或いは第二インピーダンスＺ１０２の両端に並列接続する。或いは、同時に第一インピーダンスＺ１０１及び第二インピーダンスＺ１０２の両端に並列接続することによって、第一インピーダンスＺ１０１或いは第二インピーダンスＺ１０２の両端の分圧する電気エネルギーを直流の電気エネルギーに整流することによって、一方向性導電発光ダイオードセットＬ１００を駆動する。
【００１７】
整流装置ＢＲ１０１は、ブリッジ整流器或いは半波整流器より構成することが可能である。整流装置ＢＲ１０１の数量は、一個或いは一個以上である。
一方向性導電発光ダイオードセットＬ１００は、一個の発光ダイオード順発光電流極性検出器より構成する。或いは、二個或いは二個以上の発光ダイオード順発光電流極性検出器を直列或いは並列接続にして構成する。或いは、三個或いは三個以上の発光ダイオード順発光電流極性検出器を直列、並列、直並列接続にして構成する。
【００１８】
一方向性導電発光ダイオードセットＬ１００は、ニーズによって一セット或いは一セット以上の選択が可能で、整流装置ＢＲ１０１出力の直流の電気エネルギーによって駆動する。
ＬＥＤ一方向性駆動回路Ｕ１００の中の第一インピーダンスＺ１０１、第二インピーダンスＺ１０２、一方向性導電発光ダイオードセットＬ１００、整流装置ＢＲ１０１は、ニーズによって各一個或いは一個以上を選択する。
【００１９】
第一インピーダンスＺ１０１と第二インピーダンスＺ１０２を直列接続してからの両端に脈動の電気エネルギーを入力することによって、第二インピーダンスＺ１０２で並列接続するコンデンサー及び誘導性インピーダンスコンポネントが減衰波形を示す二方向性に交互に切り替える電気エネルギーの分圧を通して、また第二インピーダンスＺ１０２の減衰波形を示す二方向性に交互に切り替える電気エネルギーの分圧を第二インピーダンスＺ１０２両端に並列接続する整流装置ＢＲ１０１の交流の電気エネルギー入力端へ伝送する。整流される直流の電気エネルギーは、少なくとも一個の一方向性導電発光ダイオードセットＬ１００を駆動し、或いは、別々に少なくとも二個の第一インピーダンスＺ１０１及び第二インピーダンスＺ１０２の両端に並列接続する整流装置ＢＲ１０１を駆動することによって、整流装置ＢＲ１０１より別々に第一インピーダンスＺ１０１及び第二インピーダンスＺ１０２の交流の電気エネルギーを直流に整流してから出力し、更に個別の一方向性導電発光ダイオードを駆動し、本実施形態の非共振ＬＥＤ一方向性駆動回路を構成する。
【００２０】
下記の実施形態の中の回路のコンポネントの選択を下記に挙げて説明する。
（１）一個の第一インピーダンスＺ１０１、一個の第二インピーダンスＺ１０２、一個の整流装置ＢＲ１０１、一個の一方向性導電発光ダイオードセットＬ１００によって構成される実施形態であるが、実際に応用するとき、関連装置の選択数量を制限しない。
（２）コンデンサーＣ１００のキャパシティブインピーダンスを第一インピーダンスコンポネントの代表として第一インピーダンスＺ１０１を構成し、及びコンデンサーＣ２００と誘導性インピーダンスコンポネントＩ２００を並列接続する。二者を並列に接続してからの固有並列共振（ｐａｒａｌｌｅｌ  ｒｅｓｏｎａｎｃｅ）周波数は電源の脈動の電気エネルギーの脈動周期と相異であって、並列共振状態を形成しない。第二インピーダンスＺ１０２を構成する実施形態である。実際に応用するとき、ニーズによって各種のキャパシティブインピーダンスコンポネント、誘導性インピーダンスコンポネント、抵抗性インピーダンスコンポネントを選択し、直列、並列、直並列接続する。説明は下記通りである。
【００２１】
図２は、本実施形態の回路図である。主な構成は下記を含む。
第一インピーダンスＺ１０１は、少なくとも一個のコンデンサーＣ１００によって構成され、特に二極性コンデンサーによって構成される。その中の第一インピーダンスの数量は、一個或いは一個以上である。或いは、ニーズによって第一インピーダンスＺ１０１の不使用を選択する。
【００２２】
第二インピーダンスＺ１０２は、並列に接続してからの固有並列共振（ｐａｒａｌｌｅｌ  ｒｅｓｏｎａｎｃｅ）周波数と脈動の電気エネルギーの脈動周期が相異で、並列共振（ｐａｒａｌｌｅｌ  ｒｅｓｏｎａｎｃｅ）を形成しない少なくとも一個のコンデンサーＣ２００及び少なくとも一個の誘導性インピーダンスコンポネントＩ２００を並列接続することによって構成され、特に誘導性インピーダンスコンポネント及び二極性コンデンサーを並列接続することによって構成される。第二インピーダンスＺ１０２の数量は、一個或いは一個以上である。
【００２３】
少なくとも一個の第一インピーダンスＺ１０１と少なくとも一個の第二インピーダンスＺ１０２を直列接続し、直列接続してからの両端に脈動の電気エネルギーを入力する。また第二インピーダンスＺ１０２に二方向性に交互に切り替える電気エネルギーの分圧を形成し、その分圧の二方向性に交互に切り替える電気エネルギーを第二インピーダンスＺ１０２の両端に並列接続する整流装置ＢＲ１０１の交流入力端へ伝送する。整流された電気エネルギーによって少なくとも一個の一方向性導電発光ダイオードセットＬ１００を駆動する。
【００２４】
整流装置ＢＲ１０１は、少なくとも一個の整流装置ＢＲ１０１を設置することによって、第一インピーダンスＺ１０１或いは第二インピーダンスＺ１０２の両端からの分圧電気エネルギーを入力する。或いは、二個或いは二個以上の整流装置ＢＲ１０１を設置し、別々に第一インピーダンスＺ１０１及び第二インピーダンスＺ１０２の両端からの分圧電気エネルギーを入力し、第一インピーダンスＺ１０１或いは第二インピーダンスＺ１０２の両端の分圧する電気エネルギーを直流の電気エネルギーに整流し、一方向性導電発光ダイオードセットＬ１００を駆動する。
【００２５】
整流装置ＢＲ１０１は、ブリッジ整流器或いは半波整流器より構成することが可能である。整流装置ＢＲ１０１の数量は、一個或いは一個以上である。
一方向性導電発光ダイオードセットＬ１００は、一個の発光ダイオードＬＥＤ１０１順発光電流極性検出器より構成する。或いは、二個或いは二個以上の発光ダイオードＬＥＤ１０１順発光電流極性を直列或いは並列接続して構成する。或いは、三個或いは三個以上の発光ダイオードＬＥＤ１０１順発光電流極性を直列、並列、直並列接続にして構成する。一方向性導電発光ダイオードセットＬ１００は、ニーズによって一セット或いは一セット以上の選択が可能で、整流装置ＢＲ１０１出力の直流の電気エネルギーによって駆動する。
【００２６】
整流装置ＢＲ１０１の交流入力端は、第二インピーダンスＺ１０２の両端に減衰波形を示す二方向性電気エネルギーの分圧電気エネルギーを受け、かつ整流装置ＢＲ１０１によって直流の電気エネルギーに整流され、一方向性導電の発光ダイオードＬ１００を駆動し、また第一インピーダンスＺ１０１を通して、電流を制限する。コンデンサーＣ１００を第一インピーダンスＺ１０１として選択して使用するとき、キャパシティブインピーダンスを通して出力電流を制限する。
放電抵抗Ｒ１０１は、オプションコンポネントである。第一インピーダンスＺ１０１にコンデンサーＣ１００、例えば、二極性コンデンサー、を選択して使用するとき、第一インピーダンスＺ１０１を構成するコンデンサーＣ１００の両端に並列接続することによって、コンデンサーＣ１００の残留電荷を放電する。
【００２７】
限流抵抗Ｒ１０３は、オプションコンポネントである。個別一方向性導電発光ダイオードセットＬ１００を構成する発光ダイオードＬＥＤ１０１を直列に接続することによって、発光ダイオードＬＥＤ１０１の通過電流を制限する。限流抵抗Ｒ１０３は、誘導性インピーダンスＩ１０３によって取り替えられることが可能である。
第一インピーダンスＺ１０１、第二インピーダンスＺ１０２、整流装置ＢＲ１０１、一方向性導電発光ダイオードセットＬ１００を通して、上記の回路構造に従って接続し、ＬＥＤ一方向性駆動回路Ｕ１００を構成する。
【００２８】
また本実施形態の非共振ＬＥＤ一方向性駆動回路のＬＥＤ一方向性駆動回路Ｕ１００の中で上記の一方向性導電発光ダイオードセットＬ１００を通して、整流装置ＢＲ１０１と第二インピーダンスＺ１０２を経て、並列接続の電流分流効果を形成する。電源電圧が変動するとき、一方向性導電発光ダイオードセットＬ１００の両端の電源電圧変動率を減少させることが可能である。
【００２９】
本実施形態の非共振ＬＥＤ一方向性駆動回路のＬＥＤ一方向性駆動回路Ｕ１００の中で一方向性導電発光ダイオードセットＬ１００を構成する発光ダイオードＬＥＤ１０１の選択は下記を含む。
一方向性導電発光ダイオードセットＬ１００は、一個の発光ダイオード順発光電流極性検出器を設置することによって構成される。或いは、二個或いは二個以上の発光ダイオード順発光電流極性検出器の直列接続或いは並列接続によって構成される。或いは、三個或いは三個以上の発光ダイオード順発光電流極性検出器の直列接続、並列接続、直並列接続によって構成される。一方向性導電発光ダイオードセットＬ１００は、ニーズによって一セット或いは一セット以上を選択設置する。
【００３０】
また発光ダイオードＬＥＤ１０１を保護し、発光ダイオードＬＥＤ１０１の異常電圧による損傷や寿命短縮を防ぐために、本実施形態の非共振ＬＥＤ一方向性駆動回路は、ＬＥＤ一方向性駆動回路Ｕ１００の中に更に一方向性導電発光ダイオードセットＬ１００を構成する発光ダイオードＬＥＤ１０１の両端をツェナーダイオードと並列接続する。或いは、ツェナーダイオードをまず少なくとも一個のダイオードと直列接続し、ツェナー電圧効果を生じさせてから、再び発光ダイオードＬＥＤ１０１の両端と並列に接続する。
図３に図２の回路中の一方向性導電発光ダイオードセットにツェナーダイオードを加設する回路の回路図を示す。図３に示すように、その構成は下記を含む。
【００３１】
ＬＥＤ一方向性駆動回路Ｕ１００で、一方向性導電発光ダイオードセットＬ１００を構成する発光ダイオードＬＥＤ１０１の両端をツェナーダイオードＺＤ１０１と並列接続する。その極性関係は、ツェナーダイオードＺＤ１０１のツェナー電圧によって発光ダイオードＬＥＤ１０１の両端の工作電圧を制限する。
ＬＥＤ一方向性駆動回路Ｕ１００の中で一方向性導電発光ダイオードセットＬ１００を構成する発光ダイオードＬＥＤ１０１の両端にツェナーダイオードＺＤ１０１を並列接続する。ツェナーダイオードＺＤ１０１は、ニーズによってダイオードＣＲ２０１とツェナーダイオードＺＤ１０１を直列接続することによって、共同してツェナー電圧効果の機能を形成する。その利点は、（１）ツェナーダイオードＺＤ１０１を保護し、不正常な逆方向電流を防ぐことが可能である。（２）ダイオードＣＲ２０１とツェナーダイオードＺＤ１０１の二者は、温度補償効果を持っている。
【００３２】
本実施形態の非共振ＬＥＤ一方向性駆動回路のＬＥＤ一方向性駆動回路Ｕ１００の中に、発光ダイオードの発光安定度を高めるために、更に発光ダイオードＬＥＤ１０１に充放電可能装置ＥＳＤ１０１を設置する。充放電可能装置ＥＳＤ１０１は、アットランダムに充電或いは電気エネルギーを釈放することによって、発光ダイオードＬＥＤ１０１の発光を安定させ、明度の脈動を減少する。或いは、断電時、充放電可能装置ＥＳＤ１０１より貯蔵した電気エネルギーを出力することにより、充放電可能装置ＥＳＤ１０１を駆動し、持続発光させる。
【００３３】
図４に図３の回路の発光ダイオードと直列に接続する限流抵抗の両端を充放電可能装置と並列に接続する回路の回路図を示す。
図５に図３の回路の発光ダイオードの両端を充放電可能装置と並列に接続する回路の回路図を示す。
図４及び図５の構成は下記を含む。
【００３４】
更に一方向性導電発光ダイオードセットＬ１００を充放電可能装置ＥＳＤ１０１と接続し、図４に示すように、発光ダイオードＬＥＤ１０１と限流抵抗Ｒ１０３を直列接続後の両端、或いは、図５に示すように、直接に発光ダイオードＬＥＤ１０１の両端に極性に従って充放電可能装置ＥＳＤ１０１を並列接続する。充放電可能装置ＥＳＤ１０１は、アットランダムに充電或いは電気エネルギーを放出することによって、発光ダイオードＬＥＤ１０１の発光を安定させ、断電時、充放電可能装置ＥＳＤ１０１より貯蔵した電気エネルギーを出力することにより、発光ダイオードＬＥＤ１０１を駆動して持続発光させることを含む。
【００３５】
上記の充放電可能装置ＥＳＤ１０１は、各種のよく使われる充放電可能な電池、超コンデンサー、コンデンサーによって構成される。
図１から図５に示している回路の中で、応用のニーズに基づいて第一インピーダンスＺ１０１、第二インピーダンスＺ１０２、整流装置ＢＲ１０１、一方向性導電発光ダイオードセットＬ１００、発光ダイオードＬＥＤ１０１及び各項の選択補助性回路のコンポネントは、ニーズによって設置するかしないかを選択し、その設置数量は一個或いは一個以上の選択を含む。一個以上を選択した場合、回路機能のニーズに従って相対極性関係を直列、並列、直並列接続にすることを選定し、その構成は下記の通りである。
【００３６】
１．第一インピーダンスＺ１０１は、一個によって構成され、或いは、一個以上によって構成され、直列、並列、直並列に接続することが可能である。複数個設置する時、各第一インピーダンスＺ１０１は同じ類別のコンデンサーＣ１００、或いは誘導性インピーダンスコンポネントや抵抗性インピーダンスコンポネント、によって構成され、或いは、異なる類別のインピーダンスによって構成される。そのインピーダンス値は、同じ或いは異なることが可能である。
【００３７】
２．第二インピーダンスＺ１０２はコンデンサーＣ２００及び誘導性インピーダンスコンポネントＩ２００を並列に接続することによって構成され、第二インピーダンスＺ１０２は一個によって構成され、或いは、一個以上によって構成され、かつ直列、並列、直並列に接続する。複数個を設置するとき、各第二インピーダンスＺ１０２は同じ或いは異なる類別のキャパシティブインピーダンスコンポネント或いは誘導性インピーダンスコンポネントＩ２００を並列接続することによって構成され、インピーダンス値は同じでも異なってもよい。ただしコンデンサーＣ２００と誘導性インピーダンスコンポネントＩ２００を並列接続してからの固有並列共振（ｐａｒａｌｌｅｌ  ｒｅｓｏｎａｎｃｅ）周波数は、脈動の電気エネルギーの脈動周期と並列共振（ｐａｒａｌｌｅｌ  ｒｅｓｏｎａｎｃｅ）を形成しない。
【００３８】
３．発光ダイオードＬＥＤ１０１は、一個より構成され、或いは、一個以上より構成され、かつ順極性に直列接続、同極性に並列接続、直並列接続することが可能である。
４．ＬＥＤ一方向性駆動回路Ｕ１００は下記の通りである。
（１）一方向性導電発光ダイオードセットＬ１００は一セットの一方向性導電発光ダイオードセットＬ１００を選択設置し、或いは、一セット以上の一方向性導電発光ダイオードセットＬ１００を選択設置し、直列、並列、直並列に接続することが可能である。一セット或いは一セット以上を選択設置した場合、共同して同一インピーダンスＺ１０２の分圧電気エネルギーを受け、マッチする整流装置ＢＲ１０１より駆動され、或いは、多セットの直列或いは並列に接続する第二インピーダンスＺ１０２より個別マッチされる。多セットの第二インピーダンスＺ１０２の分圧電気エネルギーから個別整流装置ＢＲ１０１を経て、個別マッチの一方向性導電発光ダイオードセットＬ１００を駆動する。
【００３９】
（２）ＬＥＤ一方向性駆動回路Ｕ１００の中に充放電可能装置ＥＳＤ１０１を設けた場合、一方向性導電発光ダイオードセットＬ１００の中の発光ダイオードＬＥＤ１０１を駆動し、連続直流によって通電発光する。
もし充放電可能装置ＥＳＤ１０１を設置しない場合、発光ダイオードＬＥＤ１０１は断続導電となり、発光ダイオードＬＥＤ１０１は入力電圧波形及び導電と断電時間の割合（Ｄｕｔｙ  Ｃｙｃｌｅ）に従って、また通電発光時の順電流値（Ｆｏｒｗａｒｄ  Ｃｕｒｒｅｎｔ）を相対選定し、及び一方向性導電性発光ダイオードセットＬ１００を構成する各発光ダイオードの通電発光時の順電圧ピーク値（Ｐｅａｋ  ｏｆ  Ｆｏｒｗａｒｄ  Ｖｏｌｔａｇｅ）を相対選択する。その選択は下記を含む。
【００４０】
１）発光ダイオードＬＥＤ１０１の定格順電圧（Ｒａｔｅ  Ｆｏｒｗａｒｄ  Ｖｏｌｔａｇｅ）より低い値を通電発光の順電圧ピーク値（Ｐｅａｋ  ｏｆ  Ｆｏｒｗａｒｄ  Ｖｏｌｔａｇｅ）とする。
２）或いは、発光ダイオードＬＥＤ１０１の定格順電圧（Ｒａｔｅ  Ｆｏｒｗａｒｄ  Ｖｏｌｔａｇｅ）を通電発光の順電圧ピーク値（Ｐｅａｋ  ｏｆ  Ｆｏｒｗａｒｄ  Ｖｏｌｔａｇｅ）とする。
３）或いは、もし回路中の発光ダイオードＬＥＤ１０１が断続導電の駆動状態になった場合、導電及び断電時間の割合（Ｄｕｔｙ  Ｃｙｃｌｅ）に従って、また定格順電圧（Ｒａｔｅ  Ｆｏｒｗａｒｄ  Ｖｏｌｔａｇｅ）より高い値を通電発光の順電圧ピーク値（Ｐｅａｋ  ｏｆ  Ｆｏｒｗａｒｄ  Ｖｏｌｔａｇｅ）として相対選定する。ただし原則として通電発光の順電圧ピーク値（Ｐｅａｋ  ｏｆ  Ｆｏｒｗａｒｄ  Ｖｏｌｔａｇｅ）は、発光ダイオードＬＥＤ１０１にダメージを与えてはならない。
【００４１】
４）上記の通電発光の順電圧（Ｆｏｒｗａｒｄ  Ｖｏｌｔａｇｅ）の高低及び波形は、通電発光の順電圧が通電発光の順電流に対する割合（Ｆｏｒｗａｒｄ  Ｖｏｌｔａｇｅ  ｖｓ．  Ｆｏｒｗａｒｄ  Ｃｕｒｒｅｎｔ）の電流大小及び電流波形を形成する。ただし原則として通電発光の順電圧ピーク値（Ｐｅａｋ  ｏｆ  Ｆｏｒｗａｒｄ  Ｖｏｌｔａｇｅ）は、発光ダイオードＬＥＤ１０１にダメージを与えてはならない。
５）上記の順電流（Ｆｏｒｗａｒｄ  Ｃｕｒｒｅｎｔ）の大小及び波形を通して、必要な電流が相対光度に対する割合（Ｆｏｒｗａｒｄ  Ｃｕｒｒｅｎｔ  ｖｓ．  Ｒｅｌａｔｉｖｅ  Ｌｕｍｉｎｏｓｉｔｙ）の照度を形成し、或いは、照度変化を有段や無段に調整制御する。
【００４２】
５．放電抵抗Ｒ１０１は、一個によって構成され、或いは、一個以上によって構成され、しかも直列、並列、直並列接続する。上記装置はニーズによってオプションにすることが可能である。
６．限流抵抗Ｒ１０３は、一個によって構成され、或いは、一個以上によって構成され、しかも直列、並列、直並列接続する。上記装置はニーズによってオプションにすることが可能である。
【００４３】
７．誘導性インピーダンスコンポネントＩ１０３は、一個によって構成され、或いは、一個以上によって構成され、しかも直列、並列、直並列接続する。上記装置はニーズによってオプションにすることが可能である。
８．ツェナーダイオードＺＤ１０１は、一個によって構成され、或いは、一個以上によって構成され、しかも直列、並列、直並列接続する。上記装置はニーズによってオプションにすることが可能である。
【００４４】
９．ダイオードＣＲ２０１は、一個によって構成され、或いは、一個以上によって構成され、しかも直列、並列、直並列接続する。上記装置はニーズによってオプションにすることが可能である。
１０．充放電可能装置ＥＳＤ１０１は、一個によって構成され、或いは、一個以上によって構成され、しかも直列、並列、直並列接続する。上記装置はニーズによってオプションにすることが可能である。
【００４５】
本実施形態の非共振ＬＥＤ一方向性駆動回路のＬＥＤ一方向性駆動回路Ｕ１００を応用するとき、下記各直流の電気エネルギーの入力を含む。
（１）直流脈動の電気エネルギーを入力する。
（２）或いは、直流電源を固定或いは可変電圧に転換し、及び固定或いは可変周期の直流脈動の電気エネルギーを入力する。
【００４６】
（３）或いは、交流の電気エネルギーを直流の電気エネルギーに整流し、固定或いは可変電圧に再転換し、及び固定或いは可変周期の直流脈動の電気エネルギーを入力する。
（４）或いは、固定或いは可変電圧及び固定或いは可変周波数の交流の電気エネルギーを入力し、半波或いは全波の直流脈動の電気エネルギーに整流する。
更にニーズによって下記各能動制御回路装置を選択接続し、各応用回路は下記の通りである。
【００４７】
１．図６は、本実施形態を直列式電気エネルギーパワーコントローラーと直列に接続する回路を示す回路図である。直列式電気エネルギーパワーコントローラーの構成は下記を含む。
直列式直流の電気エネルギーパワーコントローラー３３０は、よく使われるメカトロニクスコンポネント或いは固体パワーコンポネント及び電子回路関連コンポネントによって構成され、直流脈動の電気エネルギーの出力パワーを制御する。
【００４８】
直列式二方向性電気エネルギーパワーコントローラー３００は、よく使われるメカトロニクスコンポネント或いは固体パワーコンポネント及び電子回路関連コンポネントによって構成され、二方向性電気エネルギーの出力パワーを制御する。
回路の作動機能は下記の通りである。
（１）ニーズによって直列式直流の電気エネルギーパワーコントローラー３３０の選択設置が可能で、ＬＥＤ一方向性駆動回路Ｕ１００を直列接続し、二者を直列接続してから、電源からの直流脈動の電気エネルギーを入力し、直列式直流の電気エネルギーパワーコントローラー３３０を通して、電源からの脈動の電気エネルギーを調整制御する。またパルス幅変調（Ｐｕｌｓｅ  Ｗｉｄｔｈ  Ｍｏｄｕｌａｔｉｏｎ）を行い、或いは、導電の位相角を制御し、或いは、インピーダンスの調整制御等の方式でパワーを調整制御することによって、ＬＥＤ一方向性駆動回路Ｕ１００を駆動する。
【００４９】
（２）或いは、ニーズによって直列式二方向性電気エネルギーパワーコントローラー３００の選択設置が可能で、第二インピーダンスＺ１０２と整流装置ＢＲ１０１の交流入力端の間に直列接続する。直列式二方向性電気エネルギーパワーコントローラー３００を通して、第二インピーダンスＺ１０２の両端で減衰波形を示す二方向性脈動の分圧電気エネルギーを調整制御し、パルス幅変調（Ｐｕｌｓｅ  Ｗｉｄｔｈ  Ｍｏｄｕｌａｔｉｏｎ）を行う。或いは、導電の位相角をコントロールし、或いは、インピーダンスの調整制御等の方式でパワーを調整制御することによって、整流装置ＢＲ１０１を経て一方向性導電発光ダイオードセットＬ１００を駆動する。
【００５０】
（３）或いは、ニーズによって直列式直流の電気エネルギーパワーコントローラー３３０の選択設置が可能で、整流装置ＢＲ１０１の直流出力端と一方向性導電発光ダイオードセットＬ１００の間を直列接続する。直列式直流の電気エネルギーパワーコントローラー３３０を経て整流装置ＢＲ１０１からの直流の電気エネルギーのパルス幅変調（Ｐｕｌｓｅ  Ｗｉｄｔｈ  Ｍｏｄｕｌａｔｉｏｎ）を行い、或いは、導電の位相角を制御し、或いは、インピーダンスの調整制御等の方式でパワーを調整制御することによって、一方向性導電発光ダイオードセットＬ１００を駆動する。
【００５１】
２．図７に本実施形態を並列式電気エネルギーパワーコントローラーと並列に接続する回路の回路図を示す。並列式電気エネルギーパワーコントローラーの構成は下記を含む。
並列式直流の電気エネルギーパワーコントローラー４３０は、よく使われるメカトロニクスコンポネント或いは固体パワーコンポネント及び電子回路関連コンポネントによって構成され、直流脈動の電気エネルギーの出力パワーを制御する。
並列式二方向性電気エネルギーパワーコントローラー４００は、よく使われるメカトロニクスコンポネント或いは固体パワーコンポネント及び電子回路関連コンポネントによって構成され、二方向性電気エネルギーの出力パワーを制御する。
【００５２】
回路の作動機能は下記通りである。
（１）ニーズによって並列式直流の電気エネルギーパワーコントローラー４３０の選択設置が可能で、出力端をＬＥＤ一方向性駆動回路Ｕ１００と並列接続する。かつ並列式直流の電気エネルギーパワーコントローラー４３０の入力端へ電源からの直流脈動の電気エネルギーを入力し、並列式直流の電気エネルギーパワーコントローラー４３０を通して、電源からの直流脈動の電気エネルギーを調整制御し、パルス幅変調（Ｐｕｌｓｅ  Ｗｉｄｔｈ  Ｍｏｄｕｌａｔｉｏｎ）を行い、或いは導電の位相角を制御する。或いは、インピーダンスを調整制御する等の方式でパワーを調整制御することにより、ＬＥＤ一方向性駆動回路Ｕ１００を駆動する。
【００５３】
（２）或いは、ニーズによって並列式二方向性電気エネルギーパワーコントローラー４００の選択設置が可能で、出力端を整流装置ＢＲ１０１の交流入力端と並列接続し、かつ並列式二方向性電気エネルギーパワーコントローラー４００の入力端を第二インピーダンスＺ１０２の両端に並列接続する。並列式二方向性電気エネルギーパワーコントローラー４００を通して、第二インピーダンスＺ１０２の両端で減衰波形を示す二方向性脈動の分圧電気エネルギーを調整制御し、パルス幅変調（Ｐｕｌｓｅ  Ｗｉｄｔｈ  Ｍｏｄｕｌａｔｉｏｎ）を行い、或いは、導電の位相角を制御する。或いは、インピーダンスを調整制御する等の方式でパワーを調整制御し、整流装置ＢＲ１０１によって一方向性導電発光ダイオードセットＬ１００を駆動する。
【００５４】
（３）或いは、ニーズによって並列式直流の電気エネルギーパワーコントローラー４３０の選択設置が可能で、出力端を一方向性導電発光ダイオードセットＬ１００と並列接続する。かつ並列式直流の電気エネルギーパワーコントローラー４３０の入力端を整流装置ＢＲ１０１の直流出力端と並列接続し、並列式直流の電気エネルギーパワーコントローラー４３０を通して、整流装置ＢＲ１０１からの直流の電気エネルギーを調整制御し、パルス幅変調（Ｐｕｌｓｅ  Ｗｉｄｔｈ  Ｍｏｄｕｌａｔｉｏｎ）を行い、或いは、導電の位相角を制御する。或いは、インピーダンスを調整制御する等の方式でパワーを調整制御することによって、一方向性導電発光ダイオードセットＬ１００を駆動する。
【００５５】
３．図８に本実施形態をＤＣ−ＤＣコンバータより出力する電気エネルギーを受けてから駆動する回路の回路図を示す。
主な構成は下記を含む。
ＤＣ−ＤＣコンバータ（ＤＣ  ｔｏ  ＤＣ  Ｃｏｎｖｅｒｔｅｒ）５０００は、よく使われるメカトロニクス或いは固体パワーコンポネント及び電子回路関連コンポネントより構成される。入力端へ直流の電気エネルギーを入力し、出力端はニーズによって選定した固定或いは可変電圧及び固定或いは可変周期の直流脈動の電気エネルギーを出力する。
【００５６】
回路の作動機能は下記の通りである。
ＤＣ−ＤＣコンバータ（ＤＣ  ｔｏ  ＤＣ  Ｃｏｎｖｅｒｔｅｒ）５０００の入力端へ直流の電気エネルギーを入力し、出力端から直流脈動の電気エネルギーを出力し、かつＬＥＤ一方向性駆動回路Ｕ１００をＤＣ−ＤＣコンバータ（ＤＣ  ｔｏ  ＤＣ  Ｃｏｎｖｅｒｔｅｒ）５０００の出力端と並列に接続する。かつＤＣ−ＤＣコンバータ（ＤＣ  ｔｏ  ＤＣ  Ｃｏｎｖｅｒｔｅｒ）５０００の入力端にはニーズによって選定する固定或いは可変電圧の直流電気エネルギーを入力し、或いは、交流電気エネルギーを直流電気エネルギーに整流してから入力する。
【００５７】
ＤＣ−ＤＣコンバータ（ＤＣ  ｔｏ  ＤＣ  Ｃｏｎｖｅｒｔｅｒ）５０００の出力端は、ニーズによって選定した固定或いは可変電圧及び固定或いは可変周期の脈動の電気エネルギーを出力することによって、ＬＥＤ一方向性駆動回路Ｕ１００を制御及び駆動する。
またＤＣ−ＤＣコンバータ（ＤＣ  ｔｏ  ＤＣ  Ｃｏｎｖｅｒｔｅｒ）５０００の出力パワー制御を通して、或いは、出力する電気エネルギーに対してパルス幅変調（Ｐｕｌｓｅ  Ｗｉｄｔｈ  Ｍｏｄｕｌａｔｉｏｎ）を行い、或いは、導電の位相角を制御する。或いは、インピーダンス制御等の方式でパワーを制御することによって、ＬＥＤ一方向性駆動回路Ｕ１００を制御及び駆動する。
【００５８】
４．ＬＥＤ一方向性駆動回路Ｕ１００を少なくとも一個のよく使われるインピーダンスコンポネント５００と直列接続してから、電源と並列に接続する。インピーダンスコンポネント５００は下記を含む。
（１）インピーダンスコンポネント５００は、キャパシティブインピーダンス特性を持つコンポネントより構成する。
【００５９】
（２）或いは、インピーダンスコンポネント５００は、誘導性インピーダンス特性を持つデバイスより構成する。
（３）或いは、インピーダンスコンポネント５００は、抵抗性インピーダンス特性を持つコンポネントより構成する。
（４）或いは、インピーダンスコンポネント５００は、単一インピーダンスコンポネントが同時にキャパシティブインピーダンス或いは誘導性インピーダンス或いは抵抗性インピーダンスの中で少なくとも二種の合成インピーダンス特性を持つコンポネントより構成されることによって、直流性質のインピーダンス或いは交流性質のインピーダンスを提供する。
【００６０】
（５）或いは、インピーダンスコンポネント５００は、単一インピーダンスコンポネントがキャパシティブインピーダンス或いは誘導性インピーダンスの合成インピーダンス特性を持つコンポネントより構成される。かつ固有共振周波数と通過する二方向性或いは一方向性脈動の電気エネルギーの周波数或いは周期は同じで、また並列共振（ｐａｒａｌｌｅｌ  ｒｅｓｏｎａｎｃｅ）状態になることが可能である。
【００６１】
（６）或いは、インピーダンスコンポネント５００は、キャパシティブインピーダンスコンポネント或いは誘導性インピーダンスコンポネント或いは抵抗性インピーダンスコンポネントより構成され、その中の一種或いは一種以上を含む。及び一個或いは一個以上のインピーダンスコンポネントより構成され、或いは、二種或いは二種以上の直列に接続するインピーダンスコンポネントを採用する。或いは、並列や直並列接続より構成され、直流性質のインピーダンス或いは交流性質のインピーダンスを提供する。
【００６２】
（７）或いは、インピーダンスコンポネント５００は、キャパシティブインピーダンスコンポネントと誘導性インピーダンスコンポネントが互いに直列に接続することにより構成される。二者を直列接続後の固有直列共振（ｓｅｒｉｅｓ  ｒｅｓｏｎａｎｃｅ）周波数は、通過する二方向性或いは一方向性脈動の電気エネルギーの周波数や周期が同じで、かつ直列共振（ｓｅｒｉｅｓ  ｒｅｓｏｎａｎｃｅ）状態を形成する。また相対的にキャパシティブインピーダンスコンポネント或いは誘導性インピーダンスコンポネントの両端に直列共振（ｓｅｒｉｅｓ  ｒｅｓｏｎａｎｃｅ）を示す相対端の電圧を形成することが可能である。
【００６３】
或いは、キャパシティブインピーダンスと誘導性インピーダンスを互いに並列接続し、並列接続後の固有並列共振（ｐａｒａｌｌｅｌ  ｒｅｓｏｎａｎｃｅ）周波数は通過する二方向性或いは一方向性脈動の電気エネルギーの周波数或いは周期と同じで、かつ並列共振（ｐａｒａｌｌｅｌ  ｒｅｓｏｎａｎｃｅ）状態を形成し、及び相対端の電圧を形成することが可能である。
図９に本実施形態をインピーダンスコンポネントと直列に接続する回路の回路図を示す。
【００６４】
５．少なくとも二個の第４項で述べたインピーダンスコンポネント５００がメカトロニクスコンポネント或いは固体コンポネントとの接続によって、スイッチユニット６００を構成し、かつ直列、並列、直並列接続の切り替えを行うことにより、ＬＥＤ一方向性駆動回路Ｕ１００のパワーの出力を調節制御する。図１０に本実施形態をインピーダンスコンポネントと直列接続し、スイッチユニットを通して、直列、並列、直並列に接続する制御回路の回路図を示す。
本実施形態の非共振ＬＥＤ一方向性駆動回路において、第二インピーダンスＺ１０２の誘導性インピーダンスコンポネントＩ２００の選択は、更に誘導効果を持つ変圧器電源巻線セットによって取り替え、変圧器に単巻変圧巻線の単巻変圧器ＳＴ２００を選択し、或いは、分離式変圧巻線の変圧器ＩＴ２００を選択することが可能である。
【００６５】
図１１に本実施形態を単巻変圧器の単巻変圧の電源巻線によって第二インピーダンスの誘導性インピーダンスコンポネントを取り替える昇圧回路の回路図を示す。図１１に単巻変圧器ＳＴ２００の昇圧機能を持つ単巻変圧巻線Ｗ０を示す。単巻変圧器ＳＴ２００の単巻変圧巻線Ｗ０のｂ端、ｃ端を電源側とし、第二インピーダンスＺ１０２の中の誘導性インピーダンスコンポネントＩ２００を取り替え、コンデンサーＣ２００と並列接続することによって、第二インピーダンスＺ１０２を構成する。ただし単巻変圧巻線Ｗ０とコンデンサーＣ２００を並列接続してからの固有並列共振（ｐａｒａｌｌｅｌ  ｒｅｓｏｎａｎｃｅ）周波数は、脈動の電気エネルギーの脈動周期と並列共振（ｐａｒａｌｌｅｌ  ｒｅｓｏｎａｎｃｅ）状態を形成しない。単巻変圧器ＳＴ２００の単巻変圧巻線Ｗ０のａ出力端、ｃ出力端より昇圧の二方向性に交互に切り替える交流電気エネルギーを出力することにより、整流装置ＢＲ１０１の交流入力端へ出力し、かつ整流装置ＢＲ１０１の直流出力端によって一方向性導電発光ダイオードセットＬ１００を駆動する。
【００６６】
図１２に本実施形態を単巻変圧器の単巻変圧の電源巻線によって第二インピーダンスの誘導性インピーダンスコンポネントを取り替える降圧回路の回路図を示す。図１２に単巻変圧器ＳＴ２００の降圧機能を持つ単巻変圧巻線Ｗ０を示す。単巻変圧器ＳＴ２００の単巻変圧巻線Ｗ０のａ端、ｃ端を電源側とし、第二インピーダンスＺ１０２の中の誘導性インピーダンスコンポネントＩ２００を取り替え、コンデンサーＣ２００と並列接続することによって、第二インピーダンスＺ１０２を構成する。ただし単巻変圧巻線Ｗ０とコンデンサーＣ２００を並列接続してからの固有並列共振（Ｚ１０２）周波数は、脈動の電気エネルギーの脈動周期と並列共振（Ｚ１０２）状態を形成しない。単巻変圧器ＳＴ２００の単巻変圧巻線Ｗ０のｂ出力端、ｃ出力端より降圧の二方向性に交互に切り替える交流電気エネルギーを出力することにより、整流装置ＢＲ１０１の交流入力端へ出力し、かつ整流装置ＢＲ１０１の直流出力端によって一方向性導電発光ダイオードセットＬ１００を駆動する。
【００６７】
図１３に本実施形態を分離式変圧巻線の分離式変圧器の一次巻線によって第二インピーダンスの誘導性インピーダンスコンポネントを取り替える昇圧回路の回路図を示す。図１３の中にある分離式変圧器ＩＴ２００は、一次巻線Ｗ１及び二次巻線Ｗ２によって構成される。一次巻線Ｗ１と二次巻線Ｗ２の二者が分離され、一次巻線Ｗ１とコンデンサーＣ２００を並列接続することによって、第二インピーダンスを構成する。ただし一次巻線Ｗ１とコンデンサーＣ２００を並列接続してからの固有並列共振（Ｚ１０２）周波数は、脈動の電気エネルギーの脈動周期と並列共振（Ｚ１０２）状態を形成しない。分離式変圧器ＩＴ２００の二次巻線Ｗ２の出力電圧は、ニーズによって昇圧或いは降圧の選択が可能である。二次巻線から出力する二方向性に交互に切り替える交流電気エネルギーを整流装置ＢＲ１０１の交流入力端へ出力し、整流装置ＢＲ１０１の直流出力端から一方向性導電発光ダイオードセットＬ１００へ出力する。
【００６８】
上記の変圧器の電源巻線によって第二インピーダンスＺ１０２中の誘導性インピーダンスコンポネントＩ２００を取り替え、コンデンサーＣ２００と並列接続することによって、第二インピーダンスＺ１０２を構成する。また分離式変圧器ＩＴ２００の二次側昇圧交流電圧或いは降圧交流の電気エネルギーを整流装置ＢＲ１０１の交流入力端へ伝送してから、整流装置ＢＲ１０１の出力端から直流の電気エネルギーを出力することによって、一方向性導電発光ダイオードセットＬ１００を駆動する。
【００６９】
本実施形態の非共振ＬＥＤ一方向性駆動回路では、ＬＥＤ一方向性駆動回路Ｕ１００の一方向性導電発光ダイオードセットＬ１００を構成する個別発光ダイオードＬＥＤ１０１の色は、ニーズによって一種或いは一種以上の色の選択が可能である。
本実施形態の非共振ＬＥＤ一方向性駆動回路では、ＬＥＤ一方向性駆動回路Ｕ１００の中で一方向性導電発光ダイオードセットＬ１００を構成する個別発光ダイオードＬＥＤ１０１の間での配列の位置関係は、（１）順序に従う線状配列、（２）順序に従う面状配列、（３）交錯する線状配列、（４）交錯する面状配列、（５）特定平面に従う幾何学的な位置配列、（６）特定立体に従う幾何的な位置配列を示すことが可能である。
【００７０】
本実施形態の非共振ＬＥＤ一方向性駆動回路は、ＬＥＤ一方向性駆動回路Ｕ１００の中にある回路コンポネントセットの構成形態は下記を含む。（１）個別回路コンポネントより単独構成してから、互いに接続する。（２）少なくとも二個の回路コンポネントセットによって組み立ててから、少なくとも二個の一部の機能のユニットを互いに接続する。（３）全体が一体構造を示す。上記をまとめると、本実施形態の非共振ＬＥＤ一方向性駆動回路は、キャパシティブ単極性充放電によって発光ダイオードを駆動して、進歩する電気節約、低熱ロス、コスト削減機能を特徴とする。
【符号の説明】
【００７１】
３００：直列式二方向性電気エネルギーパワーコントローラー、３３０：直列式直流の電気エネルギーパワーコントローラー、４００：並列式二方向性電気エネルギーパワーコントローラー、４６０：並列式直流の電気エネルギーパワーコントローラー、５００：直列式インピーダンスコンポネント、６００：スイッチユニット、５０００：ＤＣ−ＤＣコンバータ、ＢＲ１０１：整流装置、Ｃ１００：コンデンサー、Ｃ２００：コンデンサー、ＣＲ２０１：ダイオード、ＥＳＤ１０１：充放電可能装置、Ｉ１０３：誘導性インピーダンスコンポネント、Ｉ２００：誘導性インピーダンスコンポネント、ＩＴ２００：分離式変圧器、Ｌ１００：一方向性導電発光ダイオードセット、ＬＥＤ１０１：発光ダイオード、Ｒ１０１：放電抵抗、Ｒ１０３：限流抵抗、ＳＴ２００：単巻変圧器、Ｕ１００：ＬＥＤ一方向性駆動回路、Ｗ０：単巻変圧巻線、Ｗ１：一次巻線、Ｗ２：二次巻線、Ｚ１０１：第一インピーダンス、Ｚ１０２：第二インピーダンス、ＺＤ１０１：ツェナーダイオード
【図１】
2009170914.tif 000003
【図２】
2009170914.tif 000004
【図３】
2009170914.tif 000005
【図４】
2009170914.tif 000006
【図５】
2009170914.tif 000007
【図６】
2009170914.tif 000008
【図７】
2009170914.tif 000009
【図８】
2009170914.tif 000010
【図９】
2009170914.tif 000011
【図１０】
2009170914.tif 000012
【図１１】
2009170914.tif 000013
【図１２】
2009170914.tif 000014
【図１３】
2009170914.tif 000015
【外国語明細書】
2009170914.tif 000016
2009170914.tif 000017
2009170914.tif 000018
2009170914.tif 000019
2009170914.tif 000020
2009170914.tif 000021
2009170914.tif 000022
2009170914.tif 000023
2009170914.tif 000024
2009170914.tif 000025
2009170914.tif 000026
2009170914.tif 000027
2009170914.tif 000028
2009170914.tif 000029
2009170914.tif 000030
2009170914.tif 000031
2009170914.tif 000032
2009170914.tif 000033
2009170914.tif 000034
2009170914.tif 000035
2009170914.tif 000036
2009170914.tif 000037
2009170914.tif 000038
2009170914.tif 000039
2009170914.tif 000040
2009170914.tif 000041
2009170914.tif 000042
2009170914.tif 000043
2009170914.tif 000044
2009170914.tif 000045
2009170914.tif 000046
2009170914.tif 000047
2009170914.tif 000048
2009170914.tif 000049
2009170914.tif 000050
2009170914.tif 000051
2009170914.tif 000052
2009170914.tif 000053
2009170914.tif 000054
2009170914.tif 000055
2009170914.tif 000056
2009170914.tif 000057
2009170914.tif 000058
2009170914.tif 000059
2009170914.tif 000060
2009170914.tif 000061
2009170914.tif 000062
2009170914.tif 000063
2009170914.tif 000064
2009170914.tif 000065
2009170914.tif 000066
2009170914.tif 000067
2009170914.tif 000068
2009170914.tif 000069